(57)【特許請求の範囲】
【請求項１】
合成樹脂成形品のボディと合成樹脂成形品のカバーとからなる器体内に納装されボディとカバーとの間に保持される回路基板の取付構造であって、ボディとカバーとの一方に回路基板の一面の一端部が当接し且つ器体の基準となる内壁面に対して傾斜する傾斜面を有し傾斜面との間に回路基板の一端部を仮保持可能な引掛爪を有する引掛リブが突設され、他方に回路基板の他端部を器体内の所定部位との間に保持する押えリブが突設されてなることを特徴とする回路基板の取付構造。
【請求項２】
前記押えリブは、前記所定部位と対向する側に前記傾斜面に平行であって前記回路基板の他面の他端部が当接する傾斜面が形成され、ボディとカバーとの結合時に前記回路基板の他端部が位置決めされるように前記回路基板の他端部を案内する誘導面が形成されてなることを特徴とする請求項１記載の回路基板の取付構造。
【請求項３】
前記引掛リブの傾斜面を含む平面と前記押えリブの傾斜面を含む平面との間の距離が前記回路基板の厚み寸法程度であることを特徴とする請求項２記載の回路基板の取付構造。
【発明の詳細な説明】
【０００１】
【発明の属する技術分野】
本発明は、回路基板を器体内に納装して回路基板の位置を固定する回路基板の取付構造に関するものである。
【０００２】
【従来の技術】
一般的に各種電子機器では、器体内にプリント基板のような回路基板が納装されているが、回路基板の実装部品と器体との関係によっては回路基板を合成樹脂成形品のボディと合成樹脂成形品のカバーとからなる器体内に納装しボディとカバーとの間に保持する取付構造を採用することがある。このような場合において回路基板を器体の基準となる内壁面に対して傾斜する形で取り付ける取付構造としては、例えば、図１０に示す取付構造が提案されている。図１０に示す取付構造では、ボディ６１におけるカバー６２との対向面にプリント基板よりなる回路基板７１の一端部（図１０における右端部）を保持する一対のリブ６１ａ，６１ａを突設し、カバー６２におけるボディ６１との対向面に回路基板７１の他端部（図１０における左端部）を保持する一対のリブ６２ａ，６２ａを突設してある。ここに、ボディ６１の一対のリブ６１ａ，６１ａ間の距離およびカバー６２の一対のリブ６２ａ，６２ａ間の距離は回路基板７１の厚み寸法よりも大きく設定されており、ボディ６１の一対のリブ６１ａ，６１ａの形成位置とカバー６２の一対のリブ６２ａ，６２ａの形成位置とを図１０の上下方向においてずらすことで回路基板７１を斜めに取り付けている。
【０００３】
また、回路基板を斜めに取り付ける他の取付構造としては、例えば、図１１に示す取付構造も提案されている。図１１に示す取付構造では、ボディ６１とカバー６２とに２つの固定ねじ８１，８１を用いて回路基板７１を取り付けている。
【０００４】
【発明が解決しようとする課題】
ところで、ボディ６１にカバー６２を結合する際にボディ６１とカバー６２とで囲まれる空間は一般的に見えなくなることが多いが、図１０に示した取付構造では、ボディ６１側の一対のリブ６１ａ，６１ａで回路基板７１を高精度に位置決めしておかなければ、カバー６２の結合時にカバー６２側の一対のリブ６２ａ，６２ａで回路基板７１の他端部を保持することができないので、組立作業が難しいという不具合がある。また、図１１に示した取付構造では回路基板７１をボディ６１とカバー６２とに２つの固定ねじ８１，８１を用いて固定する必要があるので、部品点数が多くなるとともに取付作業が面倒になるという不具合があった。
【０００５】
本発明は上記事由に鑑みて為されたものであり、その目的は、器体の基準となる内壁面に対して傾斜する形で回路基板を容易に取り付けることを可能とする回路基板の取付構造を提供することにある。
【０００６】
【課題を解決するための手段】
請求項１の発明は、上記目的を達成するために、合成樹脂成形品のボディと合成樹脂成形品のカバーとからなる器体内に納装されボディとカバーとの間に保持される回路基板の取付構造であって、ボディとカバーとの一方に回路基板の一面の一端部が当接し且つ器体の基準となる内壁面に対して傾斜する傾斜面を有し傾斜面との間に回路基板の一端部を仮保持可能な引掛爪を有する引掛リブが突設され、他方に回路基板の他端部を器体内の所定部位との間に保持する押えリブが突設されてなることを特徴とするものであり、組立時にはボディとカバーとの一方に突設された引掛リブで回路基板の一端部を仮保持した後、ボディとカバーとを結合すれば、回路基板の一面の一端部が傾斜面に当接するととともに回路基板の他端部が器体内の所定部位と押えリブとの間に保持されて回路基板が位置決めされるから、器体の基準となる内壁面に対して傾斜する形で回路基板を容易に取り付けることを可能になる。
【０００７】
請求項２の発明は、請求項１の発明において、前記押えリブは、前記所定部位と対向する側に前記傾斜面に平行であって前記回路基板の他面の他端部が当接する傾斜面が形成され、前記ボディと前記カバーとの結合時に前記回路基板の他端部が位置決めされるように前記回路基板の他端部を案内する誘導面が形成されているので、前記ボディと前記カバーとの結合時に前記回路基板の他端部が誘導面に沿って前記押えリブの傾斜面へ案内されるから、組立作業が容易になる。
【０００８】
請求項３の発明は、請求項２の発明において、前記引掛リブの傾斜面を含む平面と前記押えリブの傾斜面を含む平面との間の距離が前記回路基板の厚み寸法程度であるので、前記回路基板の厚み方向へのがたつきを防止することができる。
【０００９】
【発明の実施の形態】
本実施形態では、本願発明に係る回路基板の取付構造を採用した電子機器を例示する。本実施形態の電子機器は、住宅などの玄関扉に取り付けられる防犯機器であって、図５の上下方向を上下方向、図５の左右方向を図示しない玄関扉の厚み方向として取り付けられる。
【００１０】
本実施形態における防犯機器は、図３ないし図６に示すように、玄関扉における屋内側の面の上部に設置される機器本体１と、玄関扉における屋外側の面の上端部に設置されるセンサユニット２とを備え、機器本体１とセンサユニット２とは金属板よりなる逆Ｌ字状の連結板３を介して連結されている。ここに、本実施形態における防犯機器は、屋外側のみに開くことができる玄関扉に取り付けられるものであり、機器本体１とセンサユニット２とは上下方向において機器本体１の方が下方に位置するように上述の連結板３により連結されている。したがって、外開きの玄関扉を閉めた際に機器本体１が戸当たり部に当たらないようにすることができるのである。
【００１１】
機器本体１は、外周形状が矩形状に形成されている。ここに、機器本体１は、前面（図５における右面）が開口した浅い箱状のボディ１１と、ボディ１１の開口部分の大部分を覆うようにボディ１１に被着されるカバー１２とで構成されており、ボディ１１の後面から挿入される複数本の組立ねじ１５を用いて結合されている。また、カバー１２の上部の前面には後述の信号処理部（図示せず）などの電源となる電池を収納する電池収納部１２ａが凹設されており、電池収納部１２ａの開口部分には合成樹脂製の蓋１３が着脱自在に被着されている。
【００１２】
ところで、カバー１２の中央部の後面側には音響出力装置としてのスピーカ６（図５参照）が配設されており、カバー１２においてスピーカ６に対応した部位には多数の音孔１２ｂ（図３参照）が形成されている。ここにおいて、スピーカ６から出力される音は、マイクロコンピュータよりなる上述の信号処理部によって制御される。なお、信号処理部は、ボディ１１内に配置したプリント基板よりなる回路基板１４に実装されており、この回路基板１４には、スピーカ６から出力させる音を記憶した音記憶部（図示せず）も実装されている。
【００１３】
信号処理部は、センサユニット２に内蔵された後述の人感センサ４２によって人体が検知されたときにあらかじめ設定された警報音（例えば、「ピンポン」、「ワンワン」、「ピーポーピーポー」など）をスピーカ６から出力させる機能を有している。すなわち、信号処理部は、人感センサ４２により人体が検知されたときにはスピーカ６を鳴動させて警報音を出力させる。したがって、人感センサ４２の検知エリアを玄関扉の屋外側に設定しておけば、例えば深夜などに不審者が玄関扉に近づいたときに警報音が鳴るので、不審者を威嚇することが可能になるとともに家人に警戒を促すことが可能になるのである。
【００１４】
なお、上述の回路基板１４の下端部（図５における下端部）の前面側には、スピーカ６から出力される音量を調節するための音量調節スイッチと、警報音を選択するための音切替スイッチとが左右方向に離間して実装されている。これに対して、カバー１２の下端部には下方ほど玄関扉からの突出量を小さくするように傾斜した操作面１２ｃが形成されており、音量調節スイッチを操作するためのつまみ１６と、音切替スイッチを操作するためのつまみ１７とが操作面１２ｃに露設されている。なお、音量調節スイッチのつまみ１６の操作によってスピーカ６から音が出力されないようにすることも可能である。
【００１５】
センサユニット２は、図８および図９に示すように、人体から放射される熱線を検知する焦電型赤外線センサと、焦電型赤外線センサの検知面側に配設された受光レンズとを具備した人感センサ４２と、人感センサ４２が実装されたプリント基板よりなる回路基板４１とを備えたセンサブロック４（図７参照）が、合成樹脂成形品のボディ２１と合成樹脂成形品のカバー２２とからなる器体内に納装されている。なお、センサユニット２の器体には上述の連結板３に挿入されたボルト１０が螺合するナット９が内装されている。
【００１６】
ここにおいて、ボディ２１は前面（図５における左面）が開口した直方体状に形成されており下壁には断面半円状の切欠部が形成されている。また、カバー２２は半円筒状に形成されており、上端部には半円状の上壁が連続一体に形成されている。
【００１７】
ボディ２１とカバー２２とは、ボディ２１の後壁の前面の４隅近傍から前方へ突設された４つのボス２１ａの各先端面から突出した各組立ねじ２１ｂを、カバー２２の後面から後方へ突設した４つのボス２２ａのねじ孔２２ｂに螺合することによって結合されるようになっている。また、ボディ２１とカバー２２とを結合するとボディ２１とカバー２２とからなる器体の下壁に円形状の開口窓２７が形成されるが、この開口窓２４はセンサユニット２を保護する円板状の保護カバー５によって覆われている。保護カバー５は、赤外線が透過しやすいように透光性を有する高密度ポリエチレン樹脂を用いて構成されている。ここにおいて、保護カバー５は、赤外線が透過する色（例えば、乳白色）に着色されており、センサブロック４を見えないようにする目隠しの機能も有している。したがって、人感センサ４２の焦電型赤外線センサの検知面（受光面）には保護カバー５および受光レンズを通して熱線が入射するようになっている。
【００１８】
なお、センサユニット２の器体内に納装される回路基板４１は複数本のリード線８などを介して機器本体１内に納装された回路基板１４と電気的に接続されている。要するに、センサユニット２の人感センサ４２は上記信号処理部に接続されている。なお、センサユニット２の器体には、上記リード線８を挿通させる挿通孔２１ｃが上部の後側に形成されている。
【００１９】
ところで、センサユニット２の器体内はボディ２１の後壁の前面から前方へ連続一体に突設された矩形板状の仕切壁２３と、カバー２２の後面側に連続一体に突設された半円状の仕切壁２４とにより上下２つの空間に区画されており、下側の空間がセンサブロック４を収納するセンサブロック収納室を構成し、上側の空間が各リード線８の一部を収納するリード線収納室を構成している。ここにおいて、ボディ２１側の仕切壁２３とカバー２２側の仕切壁２４とは上下方向において仕切壁２４の方がやや上に位置し仕切壁２４の後端部（図５における右端部）の下面と仕切壁２３の前端部（図５における左端部）の上面とが重なって当接するようになっている。なお、ボディ２１側の仕切壁２３の後部にはリード線８を挿通させる挿通孔２３ａが形成されている。
【００２０】
センサブロック４の回路基板４１は、センサユニット２の器体の下壁の上面（内壁面）に対して傾斜する形で保持されており、玄関扉から離れるほど下壁からの距離が大きくなるように傾いて器体に取り付けられている。なお、本実施形態では、センサユニット２の下壁の内壁面が、器体の基準となる内壁面を構成している。
【００２１】
したがって、回路基板４１の下面側に実装された人感センサ４２は、検知エリアの中心線が器体の鉛直下方ではなく斜め下方となるように器体内に配設されることになり、検知エリアの中心線が器体の鉛直下方となる場合（つまり、検知エリアの中心線が玄関扉に平行な面内に含まれる場合）に比べて検知エリアを広くすることができるのである。
【００２２】
以下、センサユニット２の器体に対する回路基板４１の取付構造について図１および図２を参照しながら説明する。
【００２３】
本実施形態では、ボディ２１に、回路基板４１の一端部（図１における右端部）を保持する引掛リブ２５が連続一体に突設され、カバー２２に、回路基板４２の他端部（図１における左端部）を仕切壁２４との間に保持する押えリブ２６が連続一体に突設されている。なお、押えリブ２６と引掛リブ２５とは２つずつ設けてあるが、３つ以上設けてもよい。
【００２４】
ここにおいて、引掛リブ２５は、ボディ２１の後壁の前面から前方へ突設されており、回路基板４１の上面（一面）の一端部が当接し且つ器体の下壁の内壁面（基準となる内壁面）に対して傾斜する傾斜面２５ａを有し、さらに傾斜面２５ａとの間に回路基板４１の一端部を仮保持可能な引掛爪２５ｂを有している。また、押えリブ２６は、カバー２２の後面から後方へ突設されており、回路基板４１の他端部を器体内の所定部位である仕切壁２４との間に保持する機能を有している。ここにおいて、押えリブ２６は、仕切壁２４と対向する側に引掛リブ２５の傾斜面２５ａに平行であって回路基板４１の他面（下面）の他端部が当接する傾斜面２６ａが形成されている。なお、押えリブ２６の傾斜面２６ａは引掛リブ２５側ほど仕切壁２４との間の距離が大きくなっている。さらに押えリブ２６は、ボディ２１とカバー２２との結合時に回路基板４１の他端部が位置決めされるように回路基板４１の他端部を案内する誘導面２６ｂが形成されている。なお、誘導面２６ｂは回路基板４１の他端部を滑らかに案内するように、断面形状が滑らかな曲率を持つ弧状に形成されている。要するに、誘導面２６ｂは丸みをおびた形状に形成されている。
【００２５】
また、引掛リブ２５の傾斜面２５ａを含む平面と押えリブ２６の傾斜面２６ａを含む平面との間の距離が回路基板４１の厚み寸法程度に設定されている。
【００２６】
しかして、センサユニット２の組立時には、図２に示すようにボディ２１に突設された引掛リブ２５の傾斜面２５ａと引掛爪２５ｂとの間に回路基板４１の一端部を仮保持した後、ボディ２１とカバー２２とを結合すれば、回路基板４１の一面の一端部が傾斜面２５ａに当接するととともに回路基板４１の他面の他端部が傾斜面２６ａに当接して回路基板４１の他端部が仕切壁２４と押えリブ２６との間に保持されて回路基板４１が位置決めされるから、器体の下壁に対して傾斜する形で回路基板４１を容易に取り付けることができるのである。また、回路基板４１を器体に固定するための別部材を必要とせず、図１１に示した従来構造に比べて部品点数を削減することが可能になるとともに組立作業が容易になる。また、押えリブ２６には上述の誘導面２６ｂおよび傾斜面２６ａが形成されているので、ボディ２１とカバー２２との結合時に回路基板４１の他端部が誘導面２６ｂに沿って押えリブ２６の傾斜面２６ａへ案内されるから、組立作業が容易になる。さらに、引掛リブ２５の傾斜面２５ａを含む平面と押えリブ２６の傾斜面２６ａを含む平面との間の距離が回路基板４１の厚み寸法程度であるので、回路基板４１の厚み方向へのがたつきを防止することができる。
【００２７】
なお、本実施形態における回路基板４１の取付構造では、ボディ２１に引掛リブ２５を設け、カバー２２に押えリブ２６を設けているが、カバー２２に引掛リブ２５を設け、ボディ２１に押えリブ２６を設けるようにしてもよい。
【００２８】
【発明の効果】
請求項１の発明は、合成樹脂成形品のボディと合成樹脂成形品のカバーとからなる器体内に納装されボディとカバーとの間に保持される回路基板の取付構造であって、ボディとカバーとの一方に回路基板の一面の一端部が当接し且つ器体の基準となる内壁面に対して傾斜する傾斜面を有し傾斜面との間に回路基板の一端部を仮保持可能な引掛爪を有する引掛リブが突設され、他方に回路基板の他端部を器体内の所定部位との間に保持する押えリブが突設されてなるものであり、組立時にはボディとカバーとの一方に突設された引掛リブで回路基板の一端部を仮保持した後、ボディとカバーとを結合すれば、回路基板の一面の一端部が傾斜面に当接するととともに回路基板の他端部が器体内の所定部位と押えリブとの間に保持されて回路基板が位置決めされるから、器体の基準となる内壁面に対して傾斜する形で回路基板を容易に取り付けることを可能になるという効果がある。
【００２９】
請求項２の発明は、請求項１の発明において、前記押えリブは、前記所定部位と対向する側に前記傾斜面に平行であって前記回路基板の他面の他端部が当接する傾斜面が形成され、前記ボディと前記カバーとの結合時に前記回路基板の他端部が位置決めされるように前記回路基板の他端部を案内する誘導面が形成されているので、前記ボディと前記カバーとの結合時に前記回路基板の他端部が誘導面に沿って前記押えリブの傾斜面へ案内されるから、組立作業が容易になるという効果がある。
【００３０】
請求項３の発明は、請求項２の発明において、前記引掛リブの傾斜面を含む平面と前記押えリブの傾斜面を含む平面との間の距離が前記回路基板の厚み寸法程度であるので、前記回路基板の厚み方向へのがたつきを防止することができるという効果がある。
【図面の簡単な説明】
【図１】実施形態を示す概略断面図である。
【図２】同上の組立方法の説明図である。
【図３】同上を利用した防犯機器の正面図である。
【図４】同上を利用した防犯機器の背面図である。
【図５】同上を利用した防犯機器の断面図である。
【図６】同上を利用した防犯機器の要部下面図である。
【図７】同上を利用した防犯機器に用いるセンサブロックの概略構成図である。
【図８】同上を利用した防犯機器におけるセンサユニットの分解斜視図である。
【図９】同上を利用した防犯機器におけるセンサユニットの分解斜視図である。
【図１０】従来例を示す回路基板の取付構造の断面図である。
【図１１】他の従来例を示す回路基板の取付構造の断面図である。
【符号の説明】
２１  ボディ
２２  カバー
２３  仕切壁
２４  仕切壁
２５  引掛リブ
２５ａ  傾斜面
２５ｂ  引掛爪
２６  押えリブ
２６ａ  傾斜面
２６ｂ  誘導面
４１  回路基板
【図１】
0003876744.tif 000002
【図２】
0003876744.tif 000003
【図３】
0003876744.tif 000004
【図４】
0003876744.tif 000005
【図５】
0003876744.tif 000006
【図６】
0003876744.tif 000007
【図７】
0003876744.tif 000008
【図８】
0003876744.tif 000009
【図９】
0003876744.tif 000010
【図１０】
0003876744.tif 000011
【図１１】
0003876744.tif 000012